(57)【要約】【課題】従来と同様安定して柄香炉を法具として使用し得、法会終了後には、香炉本体と柄本体とを二個に分離出来、更には柄本体を折半するので、コンパクト化出来、場所を取らず、収納や持ち運びに利便となり、その組立ても極めて容易となす。【解決手段】香炉本体の口縁部に、柄本体の一端が係脱自在に連結される柄香炉であって、該柄本体は、長手方向の略中央部に於いて、左右に折畳自在に折半される。【選択図】        図１
0003104144.tif 000002
【実用新案登録請求の範囲】
【請求項１】
香炉本体（１）の口縁部（３）に、柄本体（２）の一端が係脱自在に連結される柄香炉（４）であって、該柄本体（２）は、長手方向の略中央部に於いて、左右に折畳自在に折半されることを特徴とする柄香炉。
【請求項２】
香炉本体（１）の口縁部（３）に、柄本体（２）の一端が係脱自在に連結される柄香炉（４）は、末端に下方へ屈曲する屈曲壁（５）を膨出させた冂状の連結具（６）を、香炉本体（１）の口縁部（３）に連結させると共に、その屈曲壁（５）には、柄本体（２）の一端を挿通する挿通係合孔（７）を穿設した請求項１記載の柄香炉。
【請求項３】
長手方向の略中央部で折半される柄本体（２）は、左右に分断された一方の柄（８）と他方の柄（９）が蝶番（10）で連結され、蝶番（10）の反対側には、一方の柄（８）と他方の柄（９）の折半個所を跨いで、係脱自在な止着具（11、11ａ）を設けた請求項１または２記載の柄香炉。
【考案の詳細な説明】
【技術分野】
【０００１】
この考案は、仏教寺院や仏前に供される法具の一種として、供養等の仏事を執り行う法会の際に用いられる柄香炉に関する。
【背景技術】
【０００２】
従来より各宗派の仏教寺院では、導師が法会の際に使用する仏具の一として柄香炉が用いられている。斯かる柄香炉は、朝顔形や蓮華形、半円形、その他所望形状の蓋付き香炉本体内で好香を焚き、該香炉本体の口縁部には、例えば15乃至20cmの長さを備え、口縁部より真直ぐ水平に伸びる棒状の柄本体を一体的に連結し、柄本体の他端は折鍵状に屈曲して脚片を形成したものであって、而して、法会時の香炉の移動や持ち運びに利便性を図り、且つ香炉の安定性が図られている。例えば、実用新案登録第３０４４８６９号公報には、香炉本体の口縁部に付設される柄本体を扁平で薄い一枚の金属製帯状片で形成するに際し、帯状片の長手方向両側縁を夫々同一方向へ折曲して、側壁を形成すると共に、両側壁間の帯状片を側壁と同一方向に屈曲して、突弧状の窪みを曲成した柄香炉が開示されているが、斯かる柄香炉は、著しい軽量化が図れると同時に、長期間に亘る反覆継続使用にも充分に耐久出来る、とするものであるが、香炉本体と柄本体とは分離することなく、一体的に連結されており、常に一定の長さを備えた柄香炉となるので、法会終了後も法具として場所を取り、コンパクト化が図れず、持ち運びにも柄本体が折半出来ないので、頗る不便なものであった。
【特許文献１】実用新案登録第３０４４８６９号公報
【考案の開示】
【考案が解決しようとする課題】
【０００３】
然るにこの考案が茲に開発した柄香炉にあっては、既述従来の欠陥に鑑みて鋭意研究の結果に開発されたものであって、柄香炉そのものを香炉本体の部分と、柄本体の部分とに、係脱自在に分離出来、更には柄本体の部分を長手方向の略中央部で折畳自在に折半出来るので、法会を執り行っている際には、香炉本体と柄本体とが連結され、柄本体も折半出来ない状態となるので、従来と全く同様に安定して柄香炉を法具として使用することが出来、法会終了後には、香炉本体と柄本体とを二個に分離し、更には柄本体を折半するので、在来は場所を取って掃除等の邪魔であったのが、コンパクトとなり、場所を取らず、収納や持ち運びに利便となり、その組立ても極めて容易となす柄香炉を提供することを目的とする。
【課題を解決するための手段】
【０００４】
上記した目的を有効に達成するがために、本考案になる柄香炉にあっては、香炉本体１の口縁部３に、柄本体２の一端が係脱自在に連結される柄香炉４であって、該柄本体２は、長手方向の略中央部に於いて、左右に折畳自在に折半される柄香炉を特徴としており、また香炉本体１の口縁部３に、柄本体２の一端が係脱自在に連結される柄香炉４は、末端に下方へ屈曲する屈曲壁５を膨出させた冂状の連結具６を、香炉本体１の口縁部３に連結させると共に、その屈曲壁５には、柄本体２の一端を挿通する挿通係合孔７を穿設した柄香炉を特徴としており、また長手方向の略中央部で折半される柄本体２は、左右に分断された一方の柄８と他方の柄９が蝶番10で連結され、蝶番10の反対側には、一方の柄８と他方の柄９の折半個所を跨いで、係脱自在な止着具11、11ａを設けた柄香炉を特徴とするものである。
【考案の効果】
【０００５】
本考案によれば、法会を執り行っている際には、香炉本体と柄本体とが連結され、従来と全く同様に安定して柄香炉を法具として使用することが出来、法会終了後には、香炉本体と柄本体とを二個に分離出来、更には柄本体を折半するので、コンパクト化出来、場所を取らず、収納や持ち運びに利便となり、その組立ても極めて容易となす柄香炉となる。
【実施例】
【０００６】
次いでこの考案になる柄香炉に関する実施の一例について詳述する。
【０００７】
朝顔形や蓮華形或いは半円形、その他適宜形状を備えた蓋付き香炉本体１の口縁部３に、柄本体２の一端が係脱自在に連結されて柄香炉４が形成され、柄本体２は、長手方向の略中央部にて左右に折畳自在に折半される構成を有している。香炉本体１の口縁部３には、末端を下方へ屈曲させて屈曲壁５を膨出させた冂状の連結具６を取着させ、該屈曲壁５の面には、柄本体２の一端に形成した挿入片13を挿通する挿通係合孔７が穿設されている。
【０００８】
柄本体２は、幅員12mm前後とする扁平で、その長さを15乃至20cm、好ましくは18cm前後とする平棒状を呈する外観を備え、その長手方向の略中央部で蝶番10を介して二ツ折りに折半されて、一方の柄８と他方の柄９とに左右に分断されており、その一端には前述香炉本体１の挿入係合孔７へ挿通する挿入片13を形成し、また他端には、折鍵状に屈曲せしめて脚片12が形成されている。
【０００９】
斯かる柄本体２の裏面、即ち蝶番10の反対側には、一方の柄８と他方の柄９の折半個所を跨いで、係脱自在な止着具11、11ａが形設されており、一方の柄８に形成される止着具11は、柄本体２の折半方向に向って、一方の柄８の表面に沿って膨出するスリット状の受部14を設け、他方の柄９に形設される止着具11ａは、前記受部14のスリット部へ挿入される、先端に嵌合片15を備えた旋回自在で扁平な外観を備え、止着具11ａには、前記受部14と嵌合片15との係脱を容易とするための起立棒16が付設されている。
【００１０】
柄香炉４として法会に用いる場合は、柄本体２を真直ぐ水平に維持させ、一方の止着具11の受部14へ、他方の止着具11ａの嵌合片15を旋回させて互いに係合させると、平滑な棒状の柄本体２が得られる。斯かる柄本体２の一端にある挿入片13を、香炉本体１の挿入係合孔７へ挿通することで、香炉本体１と柄本体２とは確実に連結され、在来の柄香炉と同一の使用が可能となる。
【図面の簡単な説明】
【００１１】
【図１】柄香炉の側面図である。
【図２】香炉本体の斜視図である。
【図３】柄本体の正面図である。
【図４】柄本体を折曲した背面見取図である。
【符号の説明】
【００１２】
１    香炉本体
２    柄本体
３    口縁部
４    柄香炉
５    屈曲壁
６    連結具
７    挿通係合孔
８    一方の柄
９    他方の柄
10    蝶番
11    止着具
11ａ  止着具
12    脚片
13    挿入片
14    受部
15    嵌合片
16    起立棒
【図１】
0003104144.tif 000003
【図２】
0003104144.tif 000004
【図３】
0003104144.tif 000005
【図４】
0003104144.tif 000006